(57)【要約】【課題】  光ファイバの光学特性に悪影響を及ぼすことなく、しっかりと把持、固定が可能な光ファイバテープ心線の把持治具及びその把持方法を提供するものである。【解決手段】  本発明に係る光ファイバテープ心線の把持治具１０は、光ファイバテープ心線２１の心線分離などを行う際に用いるものであって、近接して対向配置された板材１１ａ，１１ｂで構成され、光ファイバテープ心線２１を挟む挟み部１１と、挟み部１１の非対向面１２ａ，１２ｂにそれぞれ設けられる金属板部材１３ａ，１３ｂと、挟み部１１の各板材１１ａ，１１ｂに接続して設けられ、挟み部１１の開閉を行う摘み部１４とを備えたものである。【選択図】  図１
2006301339.tif 000002
【特許請求の範囲】
【請求項１】
光ファイバテープ心線の心線分離などを行う際に用いる把持治具であって、
近接して対向配置された板材で構成され、光ファイバテープ心線を挟む挟み部と、
挟み部の非対向面にそれぞれ設けられる金属板部材と、
挟み部の各板材に接続して設けられ、挟み部の開閉を行う摘み部と、
を備えたことを特徴とする光ファイバテープ心線の把持治具。
【請求項２】
上記挟み部及び上記摘み部が高分子材料で構成され、それぞれ一体に設けられた請求項１記載の光ファイバテープ心線の把持治具。
【請求項３】
上記高分子材料の硬度がA 100以下である請求項２記載の光ファイバテープ心線の把持治具。
【請求項４】
上記挟み部の各板材と上記摘み部の境界部に、挟み部の開閉を補助するための溝穴を境界部の延長方向に沿って形成した請求項２又は３記載の光ファイバテープ心線の把持治具。
【請求項５】
上記挟み部の各板材の対向面に、光ファイバテープ心線を挟み込む際のガイド溝を形成した請求項１から４いずれかに記載の光ファイバテープ心線の把持治具。
【請求項６】
光ファイバテープ心線の心線分離などを行う際の把持方法であって、
近接して対向配置された板材で構成され、光ファイバテープ心線を挟む挟み部と、
挟み部の非対向面にそれぞれ設けられる金属板部材と、
挟み部の各板材に接続して設けられ、挟み部の開閉を行う摘み部と、
を備えた把持治具を用い、
上記把持治具の摘み部を指で摘んだ後、指同士が近接する方向に力を加え、上記板材同士を離間させて挟み部を開き、
その離間した板材間に光ファイバテープ心線を配置し、
その後、上記力を緩めて板材を元の位置に戻して挟み部を閉じつつ、金属板部材を介して指で挟み部を摘み、光ファイバテープ心線を板材間に挟み込むと共に、金属板部材及び板材を介して指の先端部で光ファイバテープ心線を押圧し、把持を行うことを特徴とする光ファイバテープ心線の把持方法。
【発明の詳細な説明】
【技術分野】
【０００１】
本発明は、光ファイバテープ心線の心線分離などを行う際に用いる把持治具及びその把持方法に関するものである。
【背景技術】
【０００２】
光ケーブル内に光ファイバテープ心線が収容されたものがある。この光ファイバテープ心線は、必要に応じて適宜取り出され、光ファイバ単心線の分離を行ったり、光ファイバテープ心線同士の相互接続を行ったり、クロージャや機器内での取回しを行ったりといった作業がなされる。
【０００３】
これらの作業を行う際には、先ず、光ファイバテープ心線を把持し、固定する必要があるが、把持、固定方法としては作業者の手によって行う方法が一般的である。また、専用工具を用いて光ファイバテープ心線から光ファイバ単心線を分離する工法があるが、この工法においても、作業者が一方の手で光ファイバテープ心線を把持、固定し、他方の手で光ファイバテープ心線の単心線分離を行っている。
【０００４】
本願発明の先行技術文献として以下に示すものが挙げられる。
【０００５】
【特許文献１】特開平５−２１００１５号公報
【発明の開示】
【発明が解決しようとする課題】
【０００６】
ところで、光ファイバテープ心線の把持、固定の際に、光ファイバテープ心線にφ60ｍｍ以下の曲げを付与したり、過大な側圧を負荷させると、光ファイバの光学特性（伝送損失など）に悪影響が出る。例えば、素手で光ファイバテープ心線を把持すると、指の丸みによって光ファイバテープ心線に曲率半径の小さい曲げが生じたり、指圧（指での摘み圧力）によって過大な側圧が負荷されるおそれがあり、光ファイバの光学特性に悪影響が出るといった問題があった。
【０００７】
また、専用工具を用いて光ファイバテープ心線から光ファイバ単心線を分離する作業の際は、光ファイバテープ心線を手でしっかりと把持、固定しておかないと、光ファイバテープ心線が滑ったり、曲がったりしてしまう。その結果、作業性が悪化したり、光学特性に悪影響が出るといった問題があった。
【０００８】
以上の事情を考慮して創案された本発明の目的は、光ファイバの光学特性に悪影響を及ぼすことなく、しっかりと把持、固定が可能な光ファイバテープ心線の把持治具及びその把持方法を提供することにある。
【課題を解決するための手段】
【０００９】
上記目的を達成すべく本発明に係る光ファイバテープ心線の把持治具は、光ファイバテープ心線の心線分離などを行う際に用いる把持治具であって、
近接して対向配置された板材で構成され、光ファイバテープ心線を挟む挟み部と、
挟み部の非対向面にそれぞれ設けられる金属板部材と、
挟み部の各板材に接続して設けられ、挟み部の開閉を行う摘み部と、
を備えたものである。
【００１０】
ここで、挟み部及び摘み部が高分子材料で構成され、それぞれ一体に設けることが好ましい。
【００１１】
高分子材料の硬度がA 100以下であることが好ましい。
【００１２】
挟み部の各板材と摘み部の境界部に、挟み部の開閉を補助するための溝穴を境界部の延長方向に沿って形成してもよい。
【００１３】
挟み部の各板材の対向面に、光ファイバテープ心線を挟み込む際のガイド溝を形成してもよい。
【００１４】
本発明に係る光ファイバテープ心線の把持光ファイバテープ心線の心線分離などを行う際の把持方法であって、
近接して対向配置された板材で構成され、光ファイバテープ心線を挟む挟み部と、
挟み部の非対向面にそれぞれ設けられる金属板部材と、
挟み部の各板材に接続して設けられ、挟み部の開閉を行う摘み部と、
を備えた把持治具を用い、
把持治具の摘み部を指で摘んだ後、指同士が近接する方向に力を加え、板材同士を離間させて挟み部を開き、
その離間した板材間に光ファイバテープ心線を配置し、
その後、力を緩めて板材を元の位置に戻して挟み部を閉じつつ、金属板部材を介して指で挟み部を摘み、光ファイバテープ心線を板材間に挟み込むと共に、金属板部材及び板材を介して指の先端部で光ファイバテープ心線を押圧し、把持を行うものである。
【発明の効果】
【００１５】
本発明に係る把持治具によれば、光ファイバテープ心線をしっかりと把持、固定できるという優れた効果を発揮する。
【発明を実施するための最良の形態】
【００１６】
以下、本発明の好適一実施の形態を添付図面に基づいて説明する。
【００１７】
本発明の好適一実施の形態に係る光ファイバテープ心線の把持治具の平面図を図１に示す。ここで、図１（ｂ）は、図１（ａ）の１Ｂ方向矢視図である。
【００１８】
図１（ａ）、図１（ｂ）に示すように、本実施の形態に係る把持治具１０は、挟み部１１と、金属板部材１３ａ，１３ｂと、摘み部１４とで構成される。
【００１９】
挟み部１１は、近接して対向配置された板材１１ａ，１１ｂで構成され、この板材１１ａ，１１ｂ間に光ファイバテープ心線２１が挟まれる（図３参照）。板材１１ａ，１１ｂの隙間サイズは、光ファイバテープ心線２１の厚み（図２の左右方向幅を参照）よりも小さくなるように形成される。
【００２０】
金属板部材１３ａ，１３ｂは、挟み部１１の非対向面１２ａ，１２ｂにそれぞれ貼設される。
【００２１】
摘み部１４は、挟み部１１の各板材１１ａ，１１ｂに対して直角に、かつ、一体に設けられる。言い換えると、平面状の摘み部１４に直立させて、板材１１ａ，１１ｂが近接して対向配置される。
【００２２】
挟み部１１及び摘み部１４は、硬度がA 100以下、好ましくはA 50以下の高分子材料で構成され、例えば、シリコーンゴムや、天然ゴムが挙げられる。
【００２３】
各板材１１ａ，１１ｂと摘み部１４の境界部１５に、挟み部１１の開閉を補助するための溝穴１６が、境界部１５の延長方向（図１（ａ）中では図面と垂直な方向）に沿って形成される。この溝穴１６の大きさは、板材１１ａ，１１ｂの隙間サイズよりも大きくなるように形成される。溝穴１６の断面形状は特に限定するものではなく、例えば、矩形状、多角形状、円状、楕円状などが挙げられる。挟み部１１の開閉が容易な場合、溝穴１６はなくてもよい。
【００２４】
ここで、板材１１ａ，１１ｂの高さ（図１（ａ）、図１（ｂ）中では上下方向長さ）は、挟み込む光ファイバテープ心線２１のサイズに応じて適宜選択されるものであり、特に限定するものではないが、例えば、少なくとも5ｍｍ以上、好ましくは5〜15ｍｍとされる。また、板材１１ａ，１１ｂの厚さ（図１（ａ）中では左右方向の幅）は、後述するように光ファイバテープ心線２１を容易に把持でき、押さえ付けることができるように、例えば、5ｍｍ以下とされる。
【００２５】
摘み部１４のサイズは、片手の指だけで摘むことができる程度の大きさであれば特に限定するものではなく、例えば、縦、横がそれぞれ30ｍｍ以下の矩形状とされる。また、摘み部１４の厚さ（図１（ａ）、図１（ｂ）中では上下方向長さ）は、後述するように摘み部１４を容易に湾曲させる（反らせる）ことができるように、例えば、3ｍｍ以下とされる。ここで言う指とは、親指と親指以外の少なくとも１本の指の計２本以上を示しており、例えば、親指、人差し指、及び中指の３本、親指及び中指の２本、親指及び人差し指の２本などが挙げられる。
【００２６】
金属板部材１３ａ，１３ｂの形状、サイズは、板材１１ａ，１１ｂと同じ（又はほぼ同等）とされる。また、金属板部材１３ａ，１３ｂの厚さ（図１（ａ）中では左右方向の幅）は、後述するように光ファイバテープ心線２１を把持し、押さえ付けた際、摘み力を均等に光ファイバテープ心線２１に分散させることができるだけの厚さであれば十分であり、例えば、1ｍｍ以下とされる。金属板部材１３ａ，１３ｂの構成材としては、例えば、アルミ又はアルミ合金、ステンレス鋼などが挙げられる。
【００２７】
次に、本実施の形態に係る把持治具１０の把持方法を説明する。
【００２８】
先ず、図１（ａ）、図１（ｂ）に示した把持治具１０の摘み部１４を、図２に示すように、作業者の一方の手の指Ｄ、好ましくは指Ｄの腹部で摘むと共に、指Ｄ同士が近接する方向（図２中では矢印Ａ１，Ａ２の方向）に力Ｆ１を加える。ここで、摘み部１４及び挟み部１１は一体成形され、かつ、硬度がA 100以下で可撓性を有する高分子材料（ゴム材料）で構成されている。このため、摘み部１４は非挟み部側（図２中では左側）に大きく湾曲されると共に、板材１１ａ，１１ｂが溝穴１６を中心にしてそれぞれ矢印Ａ３，Ａ４の方向に回転移動する。これによって、板材１１ａ，１１ｂ同士が離間され、挟み部１１が開となる。またこの時、各板材１１ａ，１１ｂと摘み部１４の境界部１５に溝穴１６を設けていることから、溝穴１６がない場合と比較して、挟み部１１の開放量を大きくすることができる。
【００２９】
次に、その離間した板材１１ａ，１１ｂ間に、例えば作業者の他方の手の指（図示せず）で把持した光ファイバテープ心線２１が配置される。その後、指Ｄの腹部による力Ｆ１を緩めることによって、摘み部１４の湾曲が小さくなり、これと同時に、板材１１ａ，１１ｂが元の位置に戻って挟み部１１が閉となる。ここで、把持治具１０（挟み部１１及び摘み部１４）は、指Ｄの指先だけで扱うことができるほどの大きさである。このため、指Ｄによる把持治具１０の持ち替えを行わなくても、図２に示した指Ｄの腹部で摘み部１４を摘んだままの状態から、図３に示す指Ｄの先端部で挟み部１１を摘む状態に、瞬時（又はほぼ瞬時）に移行することができる。その結果、指Ｄの先端部によって指Ｄ同士が近接する方向に力Ｆ２が加えられ、金属板部材１３ａ，１３ｂを介して（金属板部材１３ａ，１３ｂ越しに）挟み部１１が摘まれる。これによって、図３，図４（図４中では指Ｄは省略）に示すように、把持治具１０の挟み部１１に光ファイバテープ心線２１が挟まれ、把持される。
【００３０】
またこの時、光ファイバテープ心線２１を、誤って挟み部１１の底に落とし込んだ状態で挟み部１１を閉とした場合でも、溝穴１６が設けてあることから、光ファイバテープ心線２１が挟まれることは全くなく、光ファイバテープ心線２１にキンクや座屈が生じるおそれはない。また、この場合、光ファイバテープ心線２１は溝穴１６内にあるため、そのままの状態で簡単に光ファイバテープ心線２１を取り出すことができる。
【００３１】
ここで、板材１１ａ，１１ｂは、緩衝機能を有し、かつ、光ファイバテープ心線２１の滑り、ズレを防止できる高分子材料（ゴム）で構成されている。よって、力Ｆ２を、比較的軟質な板材１１ａ，１１ｂ越しに直接光ファイバテープ心線２１に加えると、指Ｄの丸み形状やその丸みに起因して生じる局部的な大きな力が光ファイバテープ心線２１に直接伝わってしまう。その結果、光ファイバテープ心線２１に曲率半径の小さい曲げ（小曲り）が生じたり、指圧（指での摘み圧力）によって過大な側圧が負荷されてしまうといった問題がおこる。
【００３２】
このため、本実施の形態に係る把持治具１０においては、板材１１ａ，１１ｂの外側面、すなわち挟み部１１の非対向面１２ａ，１２ｂに、金属板部材１３ａ，１３ｂを設けている。これによって、力Ｆ２は、硬質な金属板部材１３ａ，１３ｂ越しに、板材１１ａ，１１ｂを介して光ファイバテープ心線２１に加わるようになる。その結果、力Ｆ２が板材１１ａ，１１ｂの全面に均一に分散され、一定の圧力Ｐ１（＝Ｆ２／板材の面積）が光ファイバテープ心線２１に作用するようになる。したがって、光ファイバテープ心線２１に、小曲りが生じたり、指圧による過大な側圧が負荷されるおそれはない。
【００３３】
このようにして光ファイバテープ心線２１を把持治具１０で挟むことにより、緩衝機能を有する板材１１ａ，１１ｂが光ファイバテープ心線２１の形状に沿って変形し、図３中の板材１１ａ，１１ｂの光ファイバテープ心線２１に面した部分３１，３１がたわむ。その結果、光ファイバテープ心線２１の周囲が板材１１ａ，１１ｂで完全に取り囲まれる。よって、把持治具１０によって、光ファイバテープ心線２１がしっかりと、かつ、緩やかに押圧され（押さえ付けられ）、光ファイバテープ心線２１の把持が完了する。
【００３４】
光ファイバテープ心線２１の周囲が板材１１ａ，１１ｂで完全に取り囲まれていることから、光ファイバテープ心線２１と各板材１１ａ，１１ｂの間には十分な摩擦力が作用する。したがって、光ファイバテープ心線２１をその長手方向に引っ張ったとしても、光ファイバテープ心線２１の位置がずれたり、把持治具１０から光ファイバテープ心線２１が抜けてしまうおそれはない。また、この時、把持治具１０によって光ファイバテープ心線２１はしっかりと把持されているが、把持力（拘束力）自体は比較的小さいため、光ファイバテープ心線２１の各光ファイバの光学特性に悪影響が及ぶことはない。
【００３５】
また、把持治具１０の挟み部１１を開閉するという作業は、片手の指Ｄ、例えば、３本の指（親指、人差し指、中指）で行うことができるため、把持治具１０の取り扱い性は良好である。
【００３６】
さらに、光ファイバテープ心線２１を把持治具１０から取り出す場合は、光ファイバテープ心線２１を把持する時と同様に、摘み部１４を指Ｄで摘んで挟み部１１を開とする。これによって、簡単に光ファイバテープ心線２１を取り出すことができる。
【００３７】
本実施の形態に係る把持治具１０においては、図１（ｂ）に示したように板材１１ａ，１１ｂが長方形の場合について説明を行ったが、特にこれに限定するものではない。例えば、図１（ａ）、図１（ｂ）の一変形例を図５（ａ）、図５（ｂ）に示すように、板材５１ａ，５１ｂの上面を斜めに形成し、台形状の板材５１ａ，５１ｂを有する把持治具５０であってもよい。板材５１ａ，５１ｂを台形状とすることで、図５（ｂ）に示すように、光ファイバテープ心線２１を斜めに傾けた状態で挟ませることができる。これによって、光ファイバテープ心線２１を把持治具５０に把持させる一連の手順において、摘み部１４を摘んでいる指Ｄが邪魔になるおそれはなく、把持作業の作業性がより向上する。
【００３８】
また、本実施の形態に係る把持治具１０においては、図１（ａ）に示したように摘み部１４が各板材１１ａ，１１ｂに対して直角な場合について説明を行ったが、特にこれに限定するものではない。例えば、図１（ａ）における摘み部１４の平面視形状が逆Ｖ字形、逆Ｕ字形となるように、摘み部１４と各板材１１ａ，１１ｂの形成角を鈍角に形成してもよい。
【００３９】
さらに、本実施の形態に係る把持治具１０（又は５０）においては、図１（ａ）（又は図５（ａ））に示したように各板材１１ａ，１１ｂの対向面が平面である場合について説明を行ったが、特にこれに限定するものではない。例えば、図６（ａ）、図６（ｂ）に示すように、各板材１１ａ，１１ｂの対向面６２ａ，６２ｂにガイド溝６５を形成してもよい。また、図７（ａ）、図７（ｂ）に示すように、各板材５１ａ，５１ｂの対向面７２ａ，７２ｂにガイド溝７５を形成してもよい。このように、ガイド溝６５，７５を形成することで、光ファイバテープ心線２１を開放された挟み部１１に配置する際、より正確に光ファイバテープ心線２１を配置することができるようになる。
【００４０】
以上、本発明は、上述した実施の形態に限定されるものではなく、他にも種々のものが想定されることは言うまでもない。
【図面の簡単な説明】
【００４１】
【図１】本発明の好適一実施の形態に係る光ファイバテープ心線の把持治具の平面図である。図１（ｂ）は、図１（ａ）の１Ｂ方向矢視図である。
【図２】把持治具の摘み部を指で摘み、挟み部を開放した状態を示す図である。
【図３】把持治具の挟み部を指で摘み、光ファイバテープ心線を把持した状態を示す図である。
【図４】図３の４方向矢視図である。
【図５】図１（ａ）及び図１（ｂ）における把持治具の一変形例を示す平面図である。図５（ｂ）は、図５（ａ）の５Ｂ方向矢視図である。
【図６】図１（ｂ）における把持治具の他の変形例を示す平面図である。図６（ｂ）は、図６（ａ）の６Ｂ−６Ｂ線断面図である。
【図７】図５（ｂ）における把持治具の他の変形例を示す平面図である。図７（ｂ）は、図７（ａ）の７Ｂ−７Ｂ線断面図である。
【符号の説明】
【００４２】
１０  把持治具
１１  挟み部
１１ａ，１１ｂ  板材
１２ａ，１２ｂ  非対向面
１３ａ，１３ｂ  金属板部材
１４  摘み部
２１  光ファイバテープ心線
【図１】
2006301339.tif 000003
【図２】
2006301339.tif 000004
【図３】
2006301339.tif 000005
【図４】
2006301339.tif 000006
【図５】
2006301339.tif 000007
【図６】
2006301339.tif 000008
【図７】
2006301339.tif 000009